(57)【要約】【課題】配送物に貼付した伝票を剥がしたときに、配送物に貼付している一番下の層（基材）が破れることがなく、美しく剥がれる配送伝票を提供する。【解決手段】貼付票、受領票等の配送情報を記載する領域が設けられた配送情報紙と、配送情報紙の裏面に形成された擬似接着層と、樹脂フィルムを材料とする基材であって擬似接着層を介して配送情報紙と擬似接着した樹脂フィルム基材と、樹脂フィルム基材の擬似接着した表面の反対側の表面に形成された粘着層と、粘着層の表面を保護する保護紙と、から成るようにした配送伝票。また、樹脂フィルム基材と粘着層は光学的な透明材料である。また、樹脂フィルム基材における粘着層の側の表面に印刷が施されている。【選択図】  図１
2009028970.tif 000002
【特許請求の範囲】
【請求項１】
貼付票、受領票等の配送情報を記載する領域が設けられた配送情報紙と、前記配送情報紙の裏面に形成された擬似接着層と、樹脂フィルムを材料とする基材であって前記擬似接着層を介して前記配送情報紙と擬似接着した樹脂フィルム基材と、前記樹脂フィルム基材の前記擬似接着した表面の反対側の表面に形成された粘着層と、前記粘着層の表面を保護する保護紙と、から成ることを特徴とする配送伝票。
【請求項２】
請求項１記載の配送伝票において、前記樹脂フィルム基材と前記粘着層は光学的な透明材料であることを特徴とする配送伝票。
【請求項３】
請求項１または２記載の配送伝票において、前記樹脂フィルム基材における前記粘着層の側の表面に印刷が施されていることを特徴とする配送伝票。
【発明の詳細な説明】
【技術分野】
【０００１】
本発明は、宅配便のような配送業務を行なう場合に配送物に貼付して使用する配送伝票の技術分野に属する。特に、配送物に貼付した伝票を剥がしたときに、配送物に貼付している一番下の層が破れることがなく、美しく剥がれる配送伝票に関する。
【背景技術】
【０００２】
従来より、宅配便等の配送業務においては、５〜８枚程度の伝票を綴じた複写式の多パート伝票が使用されている。このように多パート伝票が使用される目的は、輸送の各拠点で複写片を保管し、荷物に関する情報管理を行なうことにある。しかし、近年、運輸、通販、流通等の各業界では、ＥＤＩ（Electric Data Interchange；ネットワークを利用した企業間の商取引データの交換）化が進展した。その結果、伝票上にプリントされたバーコードを読み取り、ネットワークを介して情報を管理する方式が普及している。この方式では、配送伝票の複写片の保管と管理は全く不要である。したがって、多パート伝票に代わってコストダウン、環境保護に適合する１パート配送伝票化が進んでいる。
【０００３】
１パート配送伝票においては、その表面に貼付票、受領票等を上下または左右に配置した配送情報紙をラベル基材の上に貼り合せた形態が知られている（特許文献１）。ラベル基材は、その表面において擬似接着層を介して配送情報紙と擬似接着している。また、その裏面において粘着層を介して剥離紙（保護紙）と接着している。そして、１パート配送伝票を使用するときには、１パート配送伝票における配送情報紙の記入欄に、プリンター等により配送元、配送先等の配送情報を印刷する。そして、１パート配送伝票の剥離紙（保護紙）を剥がして、粘着層を露出させ、その粘着層の面を配送物の表面に合わせて加圧することにより配送物に貼り付ける。
【特許文献１】特開２００１−３５３９８７  ところが、ラベル基材は、一般的に、紙を材料とする基材であり、破れ易いという性質を有している。このような配送物が届いた配送先においては配送物から伝票を剥がすが、そのときに一番下の層であるラベル基材が破れて配送物に残ってしまい汚らしい外観となることがある。特に、伝票がシール加工された場合や、配送物の表面がプラスチックであるような場合には、その傾向が顕著であるという問題がある。
【発明の開示】
【発明が解決しようとする課題】
【０００４】
本発明は上記の問題を解決するために成されたものである。その目的は、配送物に貼付した伝票を剥がしたときに、配送物に貼付している一番下の層（基材）が破れることがなく、美しく剥がれる配送伝票を提供することにある。
【課題を解決するための手段】
【０００５】
本発明の請求項１に係る配送伝票は、貼付票、受領票等の配送情報を記載する領域が設けられた配送情報紙と、前記配送情報紙の裏面に形成された擬似接着層と、樹脂フィルムを材料とする基材であって前記擬似接着層を介して前記配送情報紙と擬似接着した樹脂フィルム基材と、前記樹脂フィルム基材の前記擬似接着した表面の反対側の表面に形成された粘着層と、前記粘着層の表面を保護する保護紙と、から成るようにしたものである。
また、本発明の請求項２に係る配送伝票は、請求項１に係る配送伝票において、前記樹脂フィルム基材と前記粘着層は光学的な透明材料であるようにしたものである。
また、本発明の請求項３に係る配送伝票は、請求項１または２に係る配送伝票において、前記樹脂フィルム基材における前記粘着層の側の表面に印刷が施されているようにしたものである。
【発明の効果】
【０００６】
本発明の請求項１に係る配送伝票によれば、配送伝票の一番下の層は樹脂フィルム基材であり、粘着層を介して配送物に接着する。また貼付票、受領票等の配送情報を記載する領域が設けられた配送情報紙は、擬似接着層を介して樹脂フィルム基材と擬似接着する。すなわち、配送物に貼付した伝票を剥がしたときには擬似接着層から剥がれる。また、樹脂フィルム基材は樹脂フィルムを材料とする基材であるから紙を材料とする基材と比較して高い強度を有しており極めて破れ難い。したがって、配送物に貼付した伝票を剥がしたときに、配送物に貼付している一番下の層（基材）が破れることがなく、美しく剥がれる配送伝票が提供される。
また、本発明の請求項２に係る配送伝票によれば、請求項１に係る配送伝票において、樹脂フィルム基材と粘着層は光学的な透明材料である。すなわち、配送物に印刷されている内容、または、一番下の層（基材）に印刷されている内容が隠されることなく見える状態になる。したがって、広告、連絡先、注意事項等が設けられても判り易くなる。
また、本発明の請求項３に係る配送伝票によれば、請求項１または２に係る配送伝票において、樹脂フィルム基材における粘着層の側の表面に印刷が施されている。したがって、樹脂フィルム基材の表面を広告、連絡先、注意事項等のスペースとすることができる。
【発明を実施するための最良の形態】
【０００７】
次に、本発明の実施の形態について図を参照しながら説明する。本発明の配送伝票における層構成の一例を図１に断面図として示す。また、本発明の配送伝票を定型シートとしたときの構成の一例を図２に正面図として示す。図１は図２における一点鎖線ａ−ｂにおける断面図である。図１、図２において、１は配送情報紙、２は擬似接着層、３は樹脂フィルム基材、４は粘着層、５は保護紙、１１，３１は印刷パターン，１００は定型シート、１０１ａ，１０１ｂ，１０１ｃは配送伝票、１１１ａ，１１１ｂ，１１１ｃは貼付票、１１２ａ，１１２ｂ，１１２ｃは受領票である。
【０００８】
配送伝票の複数を一枚の定型シートに配置する多面付を行なうと、定型シートであるから発送元、発送先、等の印刷において一般的なプリンターの使用が可能なる。また、複数の配送伝票の印刷を１回の印刷で済ませることができ効率的である。図２には、Ａ４定型シートに配送伝票１０１ａ，１０１ｂ，１０１ｃを縦に３面付した一例が示されている。図２に示すように、配送伝票１０１ａは貼付票１１１ａと受領票１１２ａによって構成され、配送伝票１０１ｂは貼付票１１１ｂと受領票１１２ｂによって構成され、配送伝票１０１ｃは貼付票１１１ｃと受領票１１２ｃによって構成される。
当然ながら、多面付した定型シートにおいては、配送伝票１０１ａ，１０１ｂ，１０１ｃの各々は分離して使用する。したがって、分離することが容易かつ確実となるように各々の境界にはミシン目加工が行なわれている。また配送先においては配送伝票の貼付票１１１ａ，１１１ｂ，１１１ｃの部分は残され、受領票１１２ａ，１１２ｂ，１１２ｃの部分は剥がし取られる。したがって、分離することが容易かつ確実となるように、貼付票１１１ａ，１１１ｂ，１１１ｃの部分と、受領票１１２ａ，１１２ｂ，１１２ｃの部分との境界にはミシン目加工が行なわれている。
【０００９】
配送情報紙１は、配送伝票１１１ａを配送物に貼付したときに表面となる紙、すなわち図１に示すように配送伝票１１１ａにおける一番上の層となっている部分である。配送情報紙１には、貼付票１１１ａ、受領票１１２ａ等の配送情報を記載する領域が設けられている。配送情報紙１におけるその領域は、配送情報紙１に印刷された印刷パターン１１によって表現されている。貼付票１１１ａの部分は配送物に残しておく部分である。貼付票１１１ａに記載された配送情報により配送物そのものの管理が行なわれる。また、受領票１１２ａの部分は配送物の配送過程において、配送作業者が剥がし取る部分である。受領票１１２ａは配送先において受領印を捺印してもらった後に、持ち帰って保管し、そこに記載された配送情報により配送の管理が行なわれる。
【００１０】
配送情報紙１に使用される材料としては、上質紙、クラフト紙、複写紙、グラシン紙、パーチメント紙、レーヨン紙、コート紙、合成紙、樹脂フィルムによりラミネートされた紙、等の紙が好適である。また、セロファン、延伸ポリプロピレン、ポリエチレンテレフタレート、延伸ポリスチレン、ポリ塩化ビニル等の樹脂フィルムであってもよい。配送情報紙１の厚さとしは、２０〜２００μｍ程度が好適である。
【００１１】
擬似接着層２は、配送情報紙１と樹脂フィルム基材３とを擬似接着する層である。すなわち、接着して後に剥離することができ、剥離の際に配送情報紙１と樹脂フィルム基材３を損傷しないような剥離性と配送過程における取扱いにおいて不用意に剥離しないような適度の接着力を有する層である。配送物に貼付された配送伝票において受領票１１２ａの部分を剥がし取ったときには、受領票１１２ａは擬似接着層２の部位において剥がれる。
このような擬似接着層２としては、たとえば、ウレタン系、アクリル系等の熱可塑性樹脂を用いたものや、感圧接着剤を用いたもの、再剥離再貼付する粘着剤を用いたもの、接着剤層／剥離層の層構成を用いたものなどを利用することができる。。
【００１２】
樹脂フィルム基材３は、樹脂フィルムを材料とする基材である。前記したように、擬似接着層２を介して配送情報紙１と擬似接着している。また、粘着層４を介して保護紙５と接着している。樹脂フィルム基材３において、擬似接着層２を介して受領票１１２ａを接着している領域の表面には、受領票１１２ａの接着力を適正化するために、必要に応じて剥離層（図示せず）を設けることができる。また、樹脂フィルム基材３において、配送情報紙１と擬似接着した表面の反対側の表面には、印刷パターン３１を形成することができる。擬似接着する表面に印刷を行わない理由は、擬似接着における接着力を適正に制御することが困難となるからである。
【００１３】
樹脂フィルム基材３は、粘着層４とともに光学的な透明材料とする。光学的な透明材料とすることにより、配送物に印刷されている内容、または、樹脂フィルム基材３に印刷されている内容が隠されることなく見える状態になる。したがって、広告、連絡先、注意事項等が設けられても判り易くなる。
このような樹脂フィルム基材３としては、紙と比較して強度を有する樹脂フィルム、たとえば延伸ポリプロピレン、ポリエチレンテレフタレート、延伸ポリスチレン、ポリ塩化ビニル等の樹脂フィルムが好適である。配送情報紙１の厚さとしは、１０〜１００μｍ程度が好適である。
【００１４】
粘着層４は、樹脂フィルム基材３が配送情報紙１と擬似接着した表面の反対側の表面に形成された層である。粘着層４は、配送物の表面に配送伝票１０１ａを貼付可能とするための層である。
粘着層４としては、アクリル系粘着剤を好適に使用することができる。その他としては、天然ゴム系粘着剤、合成ゴム系粘着剤、シリコーンゴム系粘着剤、等を使用することができる。粘着層４を形成するための粘着剤の塗布量と塗布厚は特に限定されないが、好ましくは、塗布量は０．１〜５０ｇ／ｍ２であり、塗布厚は０．１〜５０μｍである。
【００１５】
保護紙５は、粘着層４における樹脂フィルム基材１の側とは反対側の表面である粘着面が、使用前においてむやみに物品等に接着したり、塵を付着して接着力が低下することがないように、その粘着面に設けられた紙である。配送伝票を配送物に貼付するときには保護紙５を粘着面から剥がしてから貼付するため保護紙５は粘着面から剥がし易い性質を持たせる必要性がある。そのために、保護紙５の粘着面の側の表面は剥離層（図示せず）が形成されている。剥離層としては粘着層４の表面に対して接着性の低い樹脂を使用することができる。たとえば、ポリエチレン、ポリプロピレン、ポリブチレン等のオレフィン系（共）重合体、シリコーン系樹脂、等を好適に使用することができる。
【００１６】
以上、構成について説明した。次に、本発明の配送伝票の使用方法について説明する。本発明の配送伝票の使用方法についてフロー図として図３に示す。
まず、図３のステップＳ１（配送元、配送先等を印刷）において、配送物の取扱者は、図３に示すＡ４サイズの定型シート１００に３面付けした配送伝票に対して配送元、配送先等の印刷を行う。
【００１７】
次に、ステップＳ２（個別配送伝票に分離）において、配送物の取扱者は、Ａ４サイズの定型シート１００に３面付けした配送伝票１０１ａ，１０１ｂ，１０１ｃにおける２つの境界に形成されたミシン目において切り離す。これにより、Ａ４サイズの定型シート１００に３面付けした配送伝票１０１ａ，１０１ｂ，１０１ｃは分離して個別の配送伝票になる。
次に、ステップＳ３（配送物に貼付）において、配送物の取扱者は、分離して個別となった、たとえば配送伝票１０１ａにおける保護紙５を剥がして粘着層４の表面を露出させる。そして露出した粘着層４の表面を配送物の表面に合わせて加圧することにより配送伝票１０１ａを配送物に貼り付ける。
【００１８】
次に、ステップＳ４（配送）において、配送物は取扱者から配送人に渡され配送物の配送が行なわれる。
次に、ステップＳ５（受領票を剥離）において、配送人は、配送物をその受取人に届ける。その届先において、配送人は、配送物に貼付された配送伝票１０１ａにおける受領票１１２ａを剥がし取る。そして、その受領票１１２ａに対する受領印の捺印を受取人にしてもらう。このとき受領票１１２ａは擬似接着層２から剥がれ、配送物に貼付している樹脂フィルム基材３は高い強度を有しているから破れることがなく、美しく剥がれる。
【００１９】
次に、ステップＳ６（添付票を剥離）において、配送物の受取人は、配送物に貼付されている添付票１１１ａをそのままにすることもできるが、配送情報の保存管理、個人情報の漏洩を防止する、等の目的で剥がし取る。このとき添付票１１１ａは擬似接着層２から剥がれ、配送物に貼付している樹脂フィルム基材３は高い強度を有して破れることがなく、美しく剥がれる。
また、受領票１１２ａと添付票１１１ａを剥がすと、樹脂フィルム基材３と粘着層４は光学的な透明材料であるから、配送物に印刷されている内容、または樹脂フィルム基材３に印刷されている内容が隠されることなく見える。
【図面の簡単な説明】
【００２０】
【図１】本発明の配送伝票における層構成の一例を示す断面図である。
【図２】本発明の配送伝票を定型シートとしたときの構成の一例を示す正面図である。
【図３】本発明の配送伝票の使用方法について示すフロー図である。
【符号の説明】
【００２１】
１  配送情報紙
２  擬似接着層
３  樹脂フィルム基材
４  粘着層
５  保護紙
１１，３１  印刷パターン
１００  定型シート
１０１ａ，１０１ｂ，１０１ｃ  配送伝票
１１１ａ，１１１ｂ，１１１ｃ  貼付票
１１２ａ，１１２ｂ，１１２ｃ  受領票
【図１】
2009028970.tif 000003
【図２】
2009028970.tif 000004
【図３】
2009028970.tif 000005